【手続補正書】
【提出日】平成18年10月12日(2006.10.12)
【手続補正１】
【補正対象書類名】特許請求の範囲
【補正対象項目名】全文
【補正方法】変更
【補正の内容】
【特許請求の範囲】
【請求項１】
生体内に経口投入されるカプセル状の筐体内に薬剤を保持する薬剤保持部と、
前記薬剤保持部に保持された前記薬剤を放出する放出手段と、
前記放出手段を動作させる放出制御手段と、
薬剤放出位置を示す指標を検出する検出手段とを備え、
前記放出制御手段は、前記検出手段の出力に基づき前記放出手段を動作させることを特徴とする投薬用カプセル。
【請求項２】
生体内に経口投入されるカプセル状の筐体と、
生体情報を取得する生体情報取得手段と、
体腔内に指標を残すマーキング手段と、
前記生体情報取得手段で取得した生体情報と前記マーキング手段で体腔内に残した前記指標とを前記筐体の外部に伝達する伝達手段とを有することを特徴とするカプセル型医療装置。
【請求項３】
請求項２に記載のカプセル型医療装置において、
前記マーキング手段が、間欠動作を行うことを特徴とするカプセル型医療装置。
【請求項４】
体腔内の生体情報を得る生体情報取得手段と体腔内に指標を残すマーキング手段とを有する医療装置と、  
カプセル状の外装部と、前記医療装置が体腔内に残した指標を検出する指標検出手段と、薬剤収納部と、該薬剤収納部内の薬剤を放出する薬剤放出部と、前記指標検出手段の情報に基づき薬剤放出部を制御する制御部とを有するカプセル型医療装置とを有することを特徴とするカプセル型医療装置システム。
【請求項５】
請求項４に記載のカプセル型医療装置システムにおいて、
前記マーキング手段が、間欠的に前記指標を残すことを特徴とするカプセル型医療装置システム。
【請求項６】
請求項４に記載のカプセル型医療装置において、
前記医療装置が、カプセル状の外装部に、前記生体情報取得手段と、前記マーキング手段と、前記生体情報取得手段で取得した生体情報と前記マーキング手段の動作情報とを前記外装部の外部に伝達する情報伝達部とを有する第２のカプセル型医療装置と、
前記情報伝達部で前記外装部の外部に伝達された情報を受信する受信装置とで構成されることを特徴とするカプセル型医療装置システム。
【請求項７】
請求項６に記載のカプセル型医療装置システムにおいて、
前記第２のカプセル型医療装置が、間欠的に前記指標を残すことを特徴とするカプセル型医療装置システム。
【請求項８】
生体内の情報を得るステップと、
生体内での投薬位置を決定するステップと、
前記投薬位置近傍に指標をつけるステップと、
前記指標を検出する手段と、薬剤収納部と、薬剤放出部と、薬剤放出制御部とを有する投薬用カプセルを体腔内に挿入するステップと、
前記指標を検出するステップと、
前記薬剤放出部の制御を行うステップとを有することを特徴とする制御方法。
【請求項９】
生体内の情報を得るステップと、
指標を生体内に残すステップと、
生体内の情報を得るステップで得た生体情報と、指標を生体内に残すステップを行ったことを関連付けて生体情報として記録するステップと、
前記生体情報から投薬位置を決定するステップと、
前記指標を検出する手段と、薬剤収納部と、薬剤放出部と、薬剤放出制御部を有する投薬用カプセルに投薬位置を指定するステップと、
投薬用カプセルを体腔内に挿入するステップと、
前記指標を検出するステップと、
前記投薬位置を検出するステップと、
前記薬剤放出部の制御を行うステップとを有することを特徴とする制御方法。
【手続補正２】
【補正対象書類名】明細書
【補正対象項目名】００１１
【補正方法】変更
【補正の内容】
【００１１】
請求項２に係る発明は、生体内に経口投入されるカプセル状の筐体と、生体情報を取得する生体情報取得手段と、体腔内に指標を残すマーキング手段と、前記生体情報取得手段で取得した生体情報と前記マーキング手段で体腔内に残した前記指標とを前記筐体の外部に伝達する伝達手段とを有するカプセル型医療装置を提供する。
この発明に係るカプセル型医療装置においては、生体内に経口投入された後、生体情報取得手段が生体情報を取得すると共に、マーキング手段が体腔内に指標を残しながら生体内を移動する。また、伝達手段が、生体情報と指標とを筐体の外部に対して伝達する。この伝達された生体情報と指標とから、生体内の所望する部位を指標により容易に検出することができると共に所望する部位に対して直接的なアプローチを行うことができる。
【手続補正３】
【補正対象書類名】明細書
【補正対象項目名】００１２
【補正方法】変更
【補正の内容】
【００１２】
請求項３に係る発明は、請求項２に記載のカプセル型医療装置において、前記マーキング手段が、間欠動作を行うカプセル型医療装置を提供する。
【手続補正４】
【補正対象書類名】明細書
【補正対象項目名】００１３
【補正方法】変更
【補正の内容】
【００１３】
請求項４に係る発明は、体腔内の生体情報を得る生体情報取得手段と体腔内に指標を残すマーキング手段とを有する医療装置と、カプセル状の外装部と、前記医療装置が体腔内に残した指標を検出する指標検出手段と、薬剤収納部と、該薬剤収納部内の薬剤を放出する薬剤放出部と、前記指標検出手段の情報に基づき薬剤放出部を制御する制御部とを有するカプセル型医療装置とを有するカプセル型医療装置システムを提供する。
この発明に係るカプセル型医療装置システムにおいては、例えば、内視鏡装置等の医療装置を体腔内に挿入し、生体情報取得手段により体腔内の生体情報の取得を行うと共に、取得した生体情報に基づいて、マーキング手段により患部等の所望する部位に指標を残す。その後、経口投入されたカプセル型医療装置は、指標検出手段により体腔内に残された指標を検出しながら体腔内を移動する。そして、指標検出手段が指標を検出すると、この検出情報に基づいて制御部が薬剤放出部を作動させて薬剤収納部内の薬剤を放出させる。このように、所望する部位に、容易且つ直接的にアプローチすることができると共にさらに投薬を行うことができる。特に、患部を検出してから投薬を行うのではなく、患部の位置を示す指標を検出して投薬を行うので、投薬前に患部を通過することがなく、患部に対して効率良く投薬を行うことができる。
【手続補正５】
【補正対象書類名】明細書
【補正対象項目名】００１４
【補正方法】変更
【補正の内容】
【００１４】
請求項５に係る発明は、請求項４に記載のカプセル型医療装置システムにおいて、前記マーキング手段が、間欠的に前記指標を残すカプセル型医療装置システムを提供する。
【手続補正６】
【補正対象書類名】明細書
【補正対象項目名】００１５
【補正方法】変更
【補正の内容】
【００１５】
請求項６に係る発明は、請求項４に記載のカプセル型医療装置において、前記医療装置が、カプセル状の外装部に、前記生体情報取得手段と、前記マーキング手段と、前記生体情報取得手段で取得した生体情報と前記マーキング手段の動作情報とを前記外装部の外部に伝達する情報伝達部とを有する第２のカプセル型医療装置と、前記情報伝達部で前記外装部の外部に伝達された情報を受信する受信装置とで構成されるカプセル型医療装置システムを提供する。
この発明に係るカプセル型医療装置システムにおいては、第２のカプセル型医療装置を経口投入することで、情報伝達部が、生体情報取得手段で取得した生体情報とマーキング手段の動作情報とを外装部の外部に対して伝達する。また、受信装置が、伝達された生体情報と動作情報とを受信すると共に、これらの情報から体腔内の所望する部位を指標として検出する。その後、経口投入されたカプセル型医療装置により、指標位置を検出して該指標位置で薬剤の放出が行える。このように、医療装置を第２のカプセル型医療装置で構成できるので、小型化を図ることができ、簡便に患者等に経口投入することができる。
【手続補正７】
【補正対象書類名】明細書
【補正対象項目名】００１６
【補正方法】変更
【補正の内容】
【００１６】
請求項７に係る発明は、請求項６に記載のカプセル型医療装置システムにおいて、前記第２のカプセル型医療装置が、間欠的に前記指標を残すカプセル型医療装置システムを提供する。
【手続補正８】
【補正対象書類名】明細書
【補正対象項目名】００１７
【補正方法】変更
【補正の内容】
【００１７】
請求項８に係る発明は、生体内の情報を得るステップと、生体内での投薬位置を決定するステップと、前記投薬位置近傍に指標をつけるステップと、前記指標を検出する手段と、薬剤収納部と、薬剤放出部と、薬剤放出制御部とを有する投薬用カプセルを体腔内に挿入するステップと、前記指標を検出するステップと、前記薬剤放出部の制御を行うステップとを有する制御方法を提供する。
【手続補正９】
【補正対象書類名】明細書
【補正対象項目名】００１９
【補正方法】変更
【補正の内容】
【００１９】
請求項９に係る発明は、生体内の情報を得るステップと、指標を生体内に残すステップと、生体内の情報を得るステップで得た生体情報と、指標を生体内に残すステップを行ったことを関連付けて生体情報として記録するステップと、前記生体情報から投薬位置を決定するステップと、前記指標を検出する手段と、薬剤収納部と、薬剤放出部と、薬剤放出制御部を有する投薬用カプセルに投薬位置を指定するステップと、投薬用カプセルを体腔内に挿入するステップと、前記指標を検出するステップと、前記投薬位置を検出するステップと、前記薬剤放出部の制御を行うステップとを有する制御方法を提供する。
【手続補正１０】
【補正対象書類名】明細書
【補正対象項目名】００４３
【補正方法】変更
【補正の内容】
【００４３】
上述したカプセル型医療装置システム１、投薬用カプセル２及びカプセル型医療装置１０によれば、カプセル型医療装置１０を経口投入することで、体腔内にマーキングＭを残しながら生体情報の取得を行え、無線送信手段１４を介してＰＣ３０にて、生体情報とマーキングＭの情報との受信が行える。これらの情報から、体内の患部ＸをマーキングＭにより容易に検出することができる。また、その後経口投入された投薬用カプセル２により、投薬を行う特定のマーキングＭの位置で薬剤Ａの放出を行える。このように、体腔内の所望する部位（患部）に、容易且つ直接的にアプローチすることができると共に、投薬を行うことができる。また、患部Ｘを検出してから投薬を行うのではなく、特定のマーキングＭを検出して投薬を行うので、投薬を行う前に患部Ｘを通過することがなく、患部Ｘに対して効率良く投薬を行うことができる。
【手続補正１１】
【補正対象書類名】明細書
【補正対象項目名】００５６
【補正方法】変更
【補正の内容】
【００５６】
なお、本発明には、以下のものが含まれる。
〔付記項１〕
生体内に経口投入されるカプセル状の筐体内に、薬剤を保持する薬剤保持部と、
前記薬剤保持部に保持された前記薬剤を放出する放出手段と、
前記放出手段を動作させる放出制御手段と、
薬剤放出位置を示す指標を検出する検出手段とを備え、
前記放出制御手段は、前記検出手段の出力に基づき前記放出制御手段を動作させることを特徴とする投薬用カプセル。
〔付記項２〕
付記項１に記載の投薬用カプセルにおいて、
前記指標が、生体内に施された特定のマーキングであることを特徴とする投薬用カプセル。
〔付記項３〕
付記項２に記載の投薬用カプセルにおいて、
前記検出手段が、生体内に施された複数のマーキングを検出するものであり、
前記放出制御手段が、前記特定のマーキングを前記マーキングの数として予め記憶するメモリを有し、前記検出手段によって検出された前記マーキングをカウントすることにより、前記メモリに記憶されている数と一致したときに前記放出手段を動作させることを特徴とする投薬用カプセル。
〔付記項４〕
生体内に経口投入されるカプセル状の筐体と、
生体情報を取得する生体情報取得手段と、
体腔内に指標を残すマーキング手段と、
前記生体情報取得手段で取得した生体情報と前記マーキング手段で体腔内に残した前記指標とを前記筐体の外部に伝達する伝達手段とを有することを特徴とするカプセル型医療装置。
〔付記項５〕
付記項４に記載のカプセル型医療装置において、
前記生体情報取得手段で取得した生体情報と、前記マーキング手段で生体内に残した指標情報とを関連付ける情報処理部を有することを特徴とするカプセル型医療装置。
〔付記項６〕
付記項５に記載のカプセル型医療装置において、
前記情報処理部で処理された情報を記憶する記憶手段を有することを特徴とするカプセル型医療装置。
〔付記項７〕
付記項４から６のいずれか１項に記載のカプセル型医療装置において、
前記マーキング手段が、間欠動作を行うことを特徴とするカプセル型医療装置。
〔付記項８〕
付記項４に記載のカプセル型医療装置において、
前記指標が、磁性体材料、蛍光薬剤、色素、放射性同位体又は金属材料の少なくともいずれか１つを含有することを特徴とするカプセル型医療装置。
〔付記項９〕
体腔内の生体情報を得る生体情報取得手段と体腔内に指標を残すマーキング手段とを有する医療装置と、
カプセル状の外装部と、前記医療装置が体腔内に残した指標を検出する指標検出手段と、薬剤収納部と、前記薬剤収納部内の薬剤を放出する薬剤放出部と、前記指標検出手段の情報に基づき薬剤放出部を制御する制御部とを有するカプセル型医療装置とを有するカプセル型医療装置システム。
〔付記項１０〕
付記項９に記載のカプセル型医療装置システムにおいて、
前記医療装置が、内視鏡であることを特徴とするカプセル型医療装置システム。
〔付記項１１〕
付記項１０に記載のカプセル型医療装置システムにおいて、
前記マーキング手段が、内視鏡用クリップであることを特徴とするカプセル型医療装置。
〔付記項１２〕
付記項９に記載のカプセル型医療装置システムにおいて、
前記医療装置が、カプセル状の外装部に、前記生体情報取得手段と、前記マーキング手段と、前記生体情報取得手段で検出した生体情報と前記マーキング手段の動作情報とを前記外装部の外部に伝達する情報伝達部とを有する第２のカプセル型医療装置と、
前記情報伝達部で前記外装部の外部に伝達された情報を受信する受信装置とで構成されることを特徴とするカプセル型医療装置システム。
〔付記項１３〕
付記項１２に記載のカプセル型医療装置システムにおいて、
前記第２のカプセル型医療装置が、前記生体情報取得手段で検出した生体情報と、前記マーキング手段の動作情報とを関連付けて保存する記憶手段とを有しており、
前記情報伝達部が、前記記憶手段に記憶された情報を前記外装部の外部に伝達することを特徴とするカプセル型医療装置システム。
〔付記項１４〕
付記項１２又は１３に記載のカプセル型医療装置システムにおいて、
前記情報伝達部が、赤外線通信手段を有することを特徴とするカプセル型医療装置システム。
〔付記項１５〕
付記項１２又は１３に記載のカプセル型医療装置システムにおいて、
前記情報伝達部が、電磁波による通信手段を有することを特徴とするカプセル型医療装置システム。
〔付記項１６〕
付記項１２から１４のいずれか１項に記載のカプセル型医療装置システムにおいて、
前記第２のカプセル型医療装置が、間欠的に指標を残すことを特徴とするカプセル型医療装置システム。
〔付記項１７〕
付記項９に記載のカプセル型医療装置システムにおいて、
前記マーキング手段が、間欠的に指標を残すことを特徴とするカプセル型医療装置システム。
〔付記項１８〕
付記項１７に記載のカプセル型医療装置システムにおいて、
前記マーキング手段が、一定時間間隔で指標を残すことを特徴とするカプセル型医療装置システム。
〔付記項１９〕
付記項１７に記載のカプセル型医療装置システムにおいて、
位置検出手段を備え、
該位置検出手段で得た位置情報を元に、前記マーキング手段が指標を残すことを特徴とするカプセル型医療装置システム。
〔付記項２０〕
付記項１７に記載のカプセル型医療装置システムにおいて、
前記第２のカプセル型医療装置が、移動量検出手段を有し、該移動量検出手段の出力に基づいて前記マーキング手段が指標を残すことを特徴とするカプセル型医療装置システム。
〔付記項２１〕
付記項１７から２０のいずれか１項に記載のカプセル型医療装置システムにおいて、
前記指標が、生体体腔内組織に対し反射率の低い薬剤であることを特徴とするカプセル型医療装置システム。
〔付記項２２〕
付記項１７から２０のいずれか１項に記載のカプセル型医療装置システムにおいて、
前記指標が、生体体腔内組織に対し反射率の高い薬剤であることを特徴とするカプセル型医療装置システム。
〔付記項２３〕
付記項１７から２０のいずれか１項に記載のカプセル型医療装置システムにおいて、
前記指標が、磁性体材料であることを特徴とするカプセル型医療装置システム。
〔付記項２４〕
付記項１７から２０のいずれか１項に記載のカプセル型医療装置システムにおいて、
前記指標が、蛍光材料であることを特徴とするカプセル型医療装置システム。
〔付記項２５〕
生体内を観察するステップと、
生体内での投薬位置を決定するステップと、
前記投薬位置近傍に指標をつけるステップと、
前記指標を検出する手段と、薬剤収納部と、薬剤放出部と、薬剤放出制御部とを有する投薬用カプセルを体腔内に挿入するステップと、
前記指標を検出するステップと、
前記薬剤放出部の制御を行うステップとを備えることを特徴とする制御方法。
〔付記項２６〕
生体内を観察するステップと、
指標を生体内に残すステップと、
生体内を観察するステップで得た生体情報と、指標を生体内に残すステップを行ったことを関連付けて生体情報として記録するステップと、
前記生体情報から投薬位置を決定するステップと、
前記指標を検出する手段と、薬剤収納部と、薬剤放出部と、薬剤放出制御手段とを有する投薬用カプセルに投薬位置を指定するステップと、
投薬用カプセルを体腔内に挿入するステップと、
前記指標を検出するステップと、
投薬位置を検出するステップと、
前記薬剤放出部の制御を行うステップとを有することを特徴とする制御方法。